(57)【特許請求の範囲】
【請求項１】
地上にほぼ水平に配列された複数個の貯水槽と、
地下の１次側水道配水管から第１番目の貯水槽の最上部に水を導入する導水管と、
前記各貯水槽の上部と隣設して設置されている貯水槽の最上部を順次に接続している流水管と、
前記各貯水槽の最低部とそれぞれ接続されており必要により水を取り出すための取り出し口を設けた取り出し管と、
前記接続している流水管の最後部の貯水槽の上部と地下の２次側水道配水管とを接続している第１の戻し管と、
前記取り出し管と２次側水道配水管とを接続している第２の戻し管とを有し、
前記第１の戻し管の最高部が前記各貯水槽の最上部よりも高所にあるようにし、前記第１の戻し管の前記最高部には配管内と配管外との圧力により開閉する空気入り切り弁が設けられ、
前記第２の戻り管の最高部が前記各貯水槽の最上部より高所にあるように設け、前記第２の戻し管の前記最高部には前記空気入り切り弁が設けられている
ことを特徴とする貯水装置。
【請求項２】
地上にほぼ水平に配列された複数個の貯水槽と、
地下の１次側水道配水管に接続するとともに、各貯水槽の最上部にそれぞれ接続して１次側の水道水を導入する導水管と、
前記各貯水槽の最低部にそれぞれ接続されて、必要により水を取り出すための取り出し口を設けた取り出し管と、
前記導水管の端末と地下の２次側水道配水管とを接続している第１の戻し管と、
前記取り出し管と地下の２次側水道配水管とを接続している第２の戻し管とを有し、
前記第２の戻し管の最高部を前記各貯水槽の最上部より上にあるように設け、前記第２の戻し管の前記最高部には前記空気入り切り弁が設けられ、
各貯水槽の最上部には前記空気入り切り弁が設けられている
ことを特徴とする貯水装置。
【請求項３】
ほぼ垂直に積み重ねた状態に配列された複数個の貯水槽と、
地下の１次側水道配水管に接続するとともに、前記各貯水槽の最上部にそれぞれ接続して１次側の水道水を導入する導水管と、
前記最下層の貯水槽の下に配置された、必要により水を取り出すための取り出し口を設けた取り出し管と、
前記各貯水槽の最下部と前記取り出し管とを接続する導出管と、
前記取り出し管と地下の２次側水道配水管とを接続している戻し管とを有し、
前記戻し管の最高部を１番上に位置する貯水槽の最上部より高所にあるように設けるとともに、前記戻り管の前記最高部には前記空気入り切り弁を設け、
各貯水槽の最上部には前記空気入り切り弁が設けられている                        ことを特徴とする貯水装置。
【請求項４】
水平に配列され、かつ多段に積み重ねた状態に配列された複数個の貯水槽と、
地下の１次側水道配水管に接続するとともに、前記各貯水槽の最上部にそれぞれ接続されて１次側の水道水を導入する導水管と、
前記最下層の貯水槽の下に配置されて、必要により水を取り出すための取り出し口を設けた取り出し管と、
前記各貯水槽の最下部と前記取り出し管とを接続する導出管と、
前記取り出し管と地下の２次側水道配水管とを接続している戻し管とを有し、
前記戻し管の最高部を１番上に位置する貯水槽の最上部より高所にあるように設けるともに、前記戻り管の前記最高部には前記空気入り切り弁を設け、
各貯水槽の最上部には前記空気入り切り弁が設けられている
ことを特徴とする貯水装置。
【請求項５】
水平に配列され、かつ多段に積み重ねた状態に配列された複数個の貯水槽と、
地下の１次側水道配水管から各段の第１番目の貯水槽の最上部に水を導入する導水管と、
各段毎に各貯水槽の上部と、隣に設置されている貯水槽の最上部を順次に接続している流水管と、
最下層の貯水槽の下に配置されて、前記各貯水槽の最低部とそれぞれ接続されており必要により水を取り出すための取り出し口を設けた取り出し管と、
前記各段の最後尾に配置された貯水槽のそれぞれ上部と地下の２次側水道配水管とを接続している第１の戻し管と、
前記取り出し管と地下の２次側水道配水管とを接続している第２の戻し管とを有し、
前記第１の戻し管の最高部が前記各貯水槽の最上部よりも高所にあるようにし、前記第１の戻し管の前記最高部には配管内と配管外との圧力により開閉する空気入り切り弁が設けられ、
前記第２の戻し管の最高部を前記各貯水槽の最上部より高所にあるように設け、前記第２の戻し管の前記最高部には前記空気入り切り弁が設けられている
ことを特徴とする貯水装置。
【請求項６】
第２の戻し管の最高部の手前付近に、最上段の貯水槽と同じ高所の位置に、最上部に前記空気入り切り弁を設けた別の貯水槽を設け、前記戻し管の取り出し管側を前記貯水槽の最上部に接続し、貯水槽の上部の出口を戻し管の最高部側に接続し、前記貯水槽の最低部に取り出し口を設けた請求項５に記載の貯水装置。
【発明の詳細な説明】
【０００１】
【発明の属する技術分野】
本発明は貯水装置に関し、特に震災時の応急給水を目的とした公共用の貯水装置に関する。
【０００２】
【従来の技術】
大地震等の災害が発生した場合、水道施設の破壊や停電等により水道水の供給が停止する可能性は非常に大きい。そのため、非常用の飲料水の確保および応急給水対策は常日頃から確立しておくことが必要であるが、平成７年１月に起きた阪神大震災でははからずもこの事前の応急給水対策が十分でない、または十分機能しなかったということが立証された。
【０００３】
災害救助法によれば、災害時の応急給水は、本来的に都道府県および市町村の責務とされ、一定規模の震災対策用貯水施設が各地で設置され始めている。そして震災時にはこの震災対策用貯水施設や浄水場・給水所を拠点として直接または車両輸送により住民に給水するようになっている。
【０００４】
このような公共用の震災対策用貯水施設における貯水装置の構造については、震災時にも確実に水が貯留されかつ確実に給水できること、貯留水を清浄に保ち水質基準に適合させるために水が常時適切に流入し、流出する形式であることが求められる。
【０００５】
ここで、図５を用いて東京都などに設置されている震災対策用の貯水装置の一例を説明する。貯水装置３０は比較的大規模な公園の地下に設置されており、貯水容量は例えば１，５００ｍ3 であり、半径２ｋｍの範囲内に一か所このような貯水装置３０を設けることが目標とされている。
【０００６】
まず、その構成について説明すると、貯水装置３０は水道の配水本管２１から水を導入する導入管２２と、導入管２２から導入される水を貯留する給水槽２４と給水槽２４に導入された水をポンプＰ１により配水本管２１に強制的に排出する排出管２３と、災害時に給水槽２４に貯留された水をポンプＰ２により汲み上げて給水するための給水管２６と、給水管２６に取りつけられた水の取り出し口２７と、ポンプＰ２を作動させるための自家発電設備２５を備えている。
【０００７】
次にこの貯水装置３０の貯水と給水のしくみについて説明する。
【０００８】
平常時には、配水本管２１を流れる水は水圧により導入管２２に導かれ、給水槽２４に流し込まれる。一方、ポンプＰ１を常時作動させることにより、いったん給水槽２４に流れ込んだ水は強制的に排出管２３より配水本管２１に戻される。このようにして、常時給水槽２４の水を循環させて水質を確保するようにしている。
【０００９】
一方、災害時断水が起きると、自家発電設備２５を稼働させポンプＰ２を作動させることによって給水槽２４に貯留されている水を給水管２６を介して汲み上げ取り出し口２７から給水を行う。
【００１０】
以上のように構成されているので、貯水装置３０は上に述べた公共用の震災対策用貯水施設における貯水装置の構造について一応基準を満たしている。
【００１１】
【発明が解決しようとする課題】
しかしながら、貯水装置３０は貯水容量としては十分であっても、災害時の応急給水については問題がある。阪神大震災において、人員が確保できなかったり道路の寸断や破壊により車両輸送による住民への給水が十分に機能しなかったのは記憶に新しい。例え貯水容量は十分であっても、貯水装置３０の恩恵を受けられるのは貯水装置３０のある場所まで歩いていける近隣の住民等に限られてしまうおそれが大きい。
【００１２】
また、災害時に給水を行うに際しては、水は地下に貯留されているので自家発電設備２５を稼働させなければポンプＰ２で水を汲み出せない。災害時には住民だけでなく地方公共団体の職員もまた被災者であるので、確実に自家発電設備２５やポンプＰ２を稼働させる人員が確保できるか問題である。
【００１３】
さらに、貯水装置３０はメンテナンスの点でも問題がある。大規模な給水槽を地下に設けてしまうと、例えば給水槽２４のどこかで漏水が起こってもそれを点検する方法がない。現にこのような地下貯水槽での漏水はしばしば起こる現象である。また、自家発電設備２５やポンプＰ２は常日頃から点検を行っていないと、いざ災害時になって故障で稼働できないことも考えられる。
【００１４】
本発明者は、公共用の震災対策用貯水施設を設置するに際し、大規模な地下貯水施設で広域的に住民の飲料水をカバーしようとする考え方を根本的に考え直さなければ以上のような問題は解決しないと考える。
【００１５】
すなわち、災害時の給水が動力の助けを借りないでも簡便に行うことができると共に日頃のメンテナンスも楽な比較的小規模な貯水装置を公園や学校、病院などの公共施設に多数設けることによって、災害時の応急給水の機能を十分発揮させることができるのである。本発明の目的は、このような多数の公共施設に設置することを目的とした比較的小規模でかつメンテナンスも楽な貯水装置を提供することである。
【００１６】
【課題を解決するための手段】
請求項１に記載の貯水装置は、地上にほぼ水平に配列された複数個の貯水槽と、地下の１次側水道配水管から第１番目の貯水槽の最上部に水を導入する導水管と、各貯水槽の上部と、隣接して設置されている貯水槽の最上部を順次に接続している流水管と、前記各貯水槽の最低部とそれぞれ接続されており必要により水を取り出すための取り出し口を設けた取り出し管と、前記接続している流水管の最後部の貯水槽の上部と地下の２次側水道配水管とを接続している第１の戻し管と、前記取り出し管と地下の２次側水道配水管とを接続している第２の戻し管とを有し、前記第１の戻り管の最高部が前記各貯水槽の最上部よりも高所にあるようにし、前記第１の戻り管の前記最高部には配管内と配管外との圧力により開閉する空気入り切り弁がもうけられ、前記第２の戻り管の最高部を前記各貯水槽の最上部より高所にあるように設け、前記第２の戻り管の前記最高部には前記空気入り切り弁が設けられ、各貯水槽の最上部には前記空気入り切り弁が設けられていることを特徴とする。
【００１７】
請求項２に記載の貯水装置は、地上にほぼ水平に配列された複数個の貯水槽と、地下の１次側水道配水管に接続するとともに、各貯水槽の最上部にそれぞれ接続して１次側の水道水を導入する導水管と、前記各貯水槽の最低部にそれぞれ接続されて、必要により水を取り出すための取り出し口を設けた取り出し管と、前記導水管の端末と地下の２次側水道配水管とを接続している第１の戻し管と、前記取り出し管と地下の２次側水道配水管とを接続している第２の戻し管とを有し、前記第２の戻し管の最高部を前記各貯水槽の最上部より上にあるように設け、前記第２の戻り管の前記最高部には前記空気入り切り弁が設けられ、各貯水槽の最上部には前記空気入り切り弁が設けられていることを特徴とする。
【００１８】
請求項３に記載の貯水装置は、ほぼ垂直に積み重ねた状態に配列された複数個の貯水槽と、地下の１次側水道配水管に接続するとともに、前記各貯水槽の最上部にそれぞれ接続して１次側の水道水を導入する導水管と、前記最下層の貯水槽の下に配置された、必要により水を取り出すための取り出し口を設けた取り出し管と、前記各貯水槽の最下部と前記取り出し管とを接続する導出管と、前記取り出し管と地下の２次側水道配水管とを接続している戻し管とを有し、前記戻し管の最高部を１番上に位置する貯水槽の最上部より高所にあるように設けるとともに、前記戻り管の前記最高部には前記空気入り切り弁を設け、各貯水槽の最上部には前記空気入り切り弁が設けられていることを特徴とする。
【００１９】
請求項４に記載の貯水装置は、水平に配列され、かつ多段に積み重ねた状態に配列された複数個の貯水槽と、地下の１次側水道配水管に接続するとともに、前記各貯水槽の最上部にそれぞれ接続されて１次側の水道水を導入する導水管と、前記最下層の貯水槽の下に配置されて、必要により水を取り出すための取り出し口を設けた取り出し管と、前記各貯水槽の最下部と前記取り出し管とを接続する導出管と、前記取り出し管と地下の２次側水道配水管とを接続している戻し管とを有し、前記戻し管の最高部を１番上に位置する貯水槽の最上部より高所にあるように設けるともに、前記戻り管の前記最高部には前記空気入り切り弁を設け、各貯水槽の最上部には前記空気入り切り弁が設けられていることを特徴とする。
【００２０】
したがって、平常時は、１次側水道管からの供給圧力によって、水道水は各貯水槽の最上部から導入され、最低部および上部から導出される。水は上記供給圧力により各貯水槽内で常時循環し滞留することなく取り出し管または上部出口に押し出される。したがって水道水として必要な水質を確保できる。取り出し管から押し出された水は接続している戻し管へ押し込まれ、戻し管を上方へ向かって流れる。戻し管の最高部が各貯水槽の最上部よりも高くしてあるので、水は１次側水道管からの供給圧力によって、一旦配管系の最高場所に押し上げられてから２次側水道配水管に排出することになる。断水が起きたときに、２次側の配水管の圧力が下がっても水が前記配管系の最高部を越えて貯水槽から流出することがなく確実に貯水できる。空気入り切り弁を最高部に設けることによりサイフォン現象を防ぎ、サイフォンによる貯水槽の水の流出も防ぐことができる。
【００２１】
請求項５および６に記載の貯水装置は、所望の数の貯水槽を縦にも横にも配列することができるので、設置場所に適した容量、形状の貯水装置に構成できる。
【００２２】
また、貯水槽の最上部に空気の入り切り弁を設けることにより、満水時には貯水槽に密閉状態を作り出し水を衛生的に保つとともに、断水時には各貯水槽の最低部から自然落下により水を取り出す時にスムースに水を取り出すことができる。
【００２３】
【発明の実施の形態】
以下、本発明による実施の形態について図面を参照して説明する。
【００２４】
図１は本発明による貯水装置１の第１の実施の形態を示す断面図である。貯水装置１は地上にほぼ水平に配列された貯水槽４、４′、４″を備え、地下に配設された水道の配水管の途中に組み込まれるようになっている。貯水装置１は、導入管３によって１次側配水管１１から水を取り込み、各貯水槽４、４′、４″と流水管５を経て第１の戻し管６を通るルートと、各貯水槽４、４′、４″、取り出し管７を経て第２の戻し管６ａを通るルートと、の２つのルートによって２次側配水管１１ａに水を排出するようになっている。
【００２５】
各貯水槽４、４′、４″は最上部に設けられた導入口１２から水を取り込み、最低部に設けられた各取り出し口１３にそれぞれ接続された取り出し管７を経由して第２の戻し管６ａと、最下流側の貯水槽４″の上部に設けられた流水口１４に接続された流水管５を経由し第１の戻し管６とから水を２次側配水管に排出するようになっている。他の貯水槽４、４′の流水管５の一端は貯水槽４、４′の流水口１４に接続され、他端は隣に設置される貯水槽４′、および４″の導入口１２に接続されている。上述のように貯水槽４″の流水口１４には第１の戻し管６が接続されている。第１の戻し管６は水を一旦各貯水槽４、４′、４″の最上部またはそれより高い位置に引き上げるために、各貯水槽の最上部より高い位置において折り返すように配管された後、地下の２次側配水管１１ａに接続されている。
【００２６】
取り出し管７は各貯水槽４、４′、４″の取り出し口１３に共通に接続されている。このようにして、各貯水槽４、４′、４″は水平に接続されている。また、各貯水槽４、４′、４″の導入口１２の上部には空気の入り切り弁１０がそれぞれ設けられている。
【００２７】
導入管３の途中には逆止弁２が設けられ、取り出し管７には給水弁７ａが設けられている。また、第１の戻し管６と第２の戻し管６ａの最上部にも空気の入り切り弁１０が設けられている。
【００２８】
各貯水槽４、４′、４″や第１の戻し管６と第２の戻し管６ａの最上部に設けられた空気の入り切り弁１０は、水が満杯の時は水圧により弁が閉じて外気を遮断し、断水になり水圧が下がると弁が開いて空気が流入するようになっている。空気の入り切り弁１０はこのように水が満杯のときに密閉状態を作り出すことにより、外部からのほこりや細菌の侵入を防止し、水を衛生的に保つことを可能にすると共に、断水時に貯水装置１の下部から自然落下による水の取り出しを行う時に空気の流入によりスムースな取り出しを可能にする。また、第２の戻し管６ａの最上部に設けられた空気の入り切り弁１０は断水時に第２の戻し管６ａ内の水が２次側配水管１１ａ内にサイフォン現象により引き込まれてしまうことを防止する（なお、空気の入り切り弁１０の具体的な構成の一例については本出願人による特願平６−７８７２６５号明細書参照）。
【００２９】
次に貯水装置１の平常時および断水時の動作について説明する。
【００３０】
平常時は、１次側配水管１１の水は水圧によって導入管３中を押し上げられ逆止弁２を通った後導入口１２から最初の貯水槽４に導入され、貯水槽４内を一巡した後、上部に設けられた流水口１４から流水管５へ導かれるルートと、最低部に設けられた取り出し口１３から取り出し管７へ導かれるルートに別れて最初の貯水槽４から流出する。
【００３１】
最初の貯水槽４から流水管５に導かれた水は次の貯水槽４′の導入口１２から貯水槽４′に流入し、再び流水管５と取り出し管７との２つのルートに別れて流出し、同様のことを繰り返しながら最後の貯水槽４″に流入する。最後の貯水槽４″から第１の戻し管６に導出された水は第１の戻し管６によって一旦貯水槽４、４′、４″の最上部またはそれより高い位置に引き上げられた後、２次側配水管１１ａに排出される。一方、貯水槽４、４′、４″から取り出し管７に導出された水は第２の戻し管６ａによって貯水槽４、４′、４″の最上部またはそれより高い位置に引き上げられた後、２次側配水管１１ａに排出される。
【００３２】
各貯水槽４、４′、４″から流出する水は流水管５と取り出し管７の２つのルートに別れて流出するため、各貯水槽４、４′、４″内で水が滞留することがなく水質を清浄に保つことができる。
【００３３】
一方、断水が起きると、１次側配水管１１内の水圧は急激に失われ、それに引きずられるようにして導入管３内の水も１次側配水管１１へ戻ろうとする動きに変わるが、その圧力変化により逆止弁２が閉じるので１次側配水管１１への逆流を防ぐことができる。しかし、その他の管内や各貯水槽４、４′、４″内の水が自然落下により取り出し管７を通じて２次側配水管１１ａへ流出しようとする動きは変わらない。
【００３４】
そこで、貯水装置１ではその水の流出を防止するために、貯水槽の上部に接続する第１の戻し管と、取り出し管７に接続する第２の戻し管とは、いずれも貯水槽４、４′、４″の最上部またはそれより高い位置まで配管を一旦引き上げてから２次側配水管に接続している。それによって断水時に貯水装置１の中に水を閉じ込め、貯留した水の流出を防止することができるのである。第１および第２の戻し管６、６ａの最上部に設けられた空気入り切り弁１０の作用により、水がサイフォン現象により２次側配水管１１ａ内に引き込まれることはない。
【００３５】
断水時に貯水装置１より給水を行う場合は、動力を用いなくても給水弁７ａを開くだけで自然落下により各貯水槽４、４′、４″に貯留された水を取り出すことができる。また、給水弁７ａを開くと、同時に各貯水槽４、４′、４″の最上部に取りつけられた空気の入り切り弁１０が開くので各貯水槽４、４′、４″内に空気が流入し、給水弁７ａからの水の取り出しがスムースに行える。
【００３６】
一方、断水が終わり通水が再開されると、１次側配水管１１から水圧により水が導入管３中を逆止弁２を開きながら上昇して、貯水槽４、４′、４″の順に水が供給されていくが、この時各貯水槽４、４′、４″の最上部に取りつけられた空気の入り切り弁１０の働きにより、各貯水槽４、４′、４″内の空気は余さず外部に排出され、水が満杯になると同時に空気の入り切り弁１０が完全に閉じて元の密閉状態が再び保たれることになる。
【００３７】
図２は図１に示した貯水装置１の変形例である。図２において図１と同じ参照番号を用いた場合は図１と同じ構成要素を表しているので説明を省略し、図１と異なる部分を中心に説明する。
【００３８】
図２に示す貯水装置１は地上にほぼ水平に接続した貯水槽４、４′、４″を導入管３と第１の戻し管６および第２の戻し管６ａとの間で上下３段に配列したものであり、このように所望の数の貯水槽を縦にも横にも配列することにより、無数の貯水槽群を構成することが可能である。したがって、その設置場所の広さによっては、何百トン、あるいは何千トンもの水を貯留することも可能である。
【００３９】
また、図２に示した貯水装置１では、第２の戻し管６ａの最上部に貯水槽４ａを設けている。貯水槽４ａは貯留した水が２次側配水管１１ａにそのまま流出しないように貯水装置１内に閉じ込めるために設けるものであるが、貯水槽４ａはまた、水道水に混入した砂等の混入物を取り除いて２次側配水管１１ａに水を排出する機能を有する。そして、排出管９の排出弁９ａを開くことにより、混入物を排出させることができる。もちろん貯水槽４ａ自体としても水を貯留することができるので、最終的には貯水槽４ａ内の水を排出弁９ａを開くことにより飲料水として利用することも可能である。
【００４０】
図３は本発明による貯水装置の第２の実施の形態を示す断面図である。図３において図１と同じ参照番号は図１と同じ構成要素を表しているので説明を省略し、図１と異なる部分を中心に説明する。
【００４１】
貯水装置１は地上にほぼ水平に配列された貯水槽４、４′、４″を備え、地下に配設された水道の配水管の途中に組み込まれるようになっている。貯水装置１において、導入管３によって１次側配水管１１から取り込まれた水は、各貯水槽４、４′、４″の最上部に共通に接続された導入管３からそれぞれの貯水槽内に導かれ、各貯水槽４、４′、４″の最低部から取り出し管７を経て第２の戻し管６ａを通るルートと、各貯水槽４、４′、４″内に取り込まれずにそのまま導入管３を経て第１の戻し管６を通るルートと、の２つのルートによって２次側配水管１１ａに排出されるようになっている。
【００４２】
取り出し管７に導入された水は第２の戻し管６ａに導かれ、貯水槽４、４′、４″の最上部またはそれより高い位置まで一旦引き上げられた後２次側配水管１１ａに排出されるので、断水時に、貯留した水の２次側配水管１１ａへの流出を防止することができる。空気の入り切り弁１０の作用は図１を用いて説明したものと同様である。
【００４３】
また、図３に示した貯水装置１では、地上にほぼ水平に配列された貯水槽４、４′、４″の最上部から各々水を取り込み、最低部から流出させるようにしているので水が各貯水槽内で滞留をすることがなく、水質を清浄に保つことができる。
【００４４】
なお、図３において、第１の戻し管６を設けずに、導入管３を貯水槽４″に接続する部位でとどめ、第２の戻し管６ａのみによって地下の２次側配水管１１ａに水を排出するようにしてもよい。
【００４５】
図４は本発明による貯水装置の第３の実施の形態を示す断面図である。図４において図１と同じ参照番号は図１と同じ構成要素を表しているので説明を省略し、図１と異なる部分を中心に説明する。
【００４６】
貯水装置１は地上に縦に配列された貯水槽４、４′、４″を備え、地下に配設された水道の配水管の途中に組み込まれるようになっている。導入管３は１次側配水管１１から水を取り込み、各貯水槽４、４′、４″の最上部からそれぞれの貯水槽内に水を導入する。貯水槽４、４′に導入された水は各貯水槽４、４′の最低部から導出管１５に導出され、さらに導出管１５に接続された取り出し管７に導入される。また、貯水槽４″に導入された水は貯水槽４″の最低部から直接取り出し管７に導入される。取り出し管７に導入された水は戻し管８に導かれ、最も高い位置にある貯水槽４と同じまたはそれより高い位置まで一旦引き上げられた後２次側配水管１１ａに排出される。
【００４７】
図４に示した貯水装置１では、縦に配列された貯水槽４、４′、４″の各々の最上部から水を取り込み、最低部から流出させるようにしているので水が各貯水槽内で滞留をすることがなく、水質を清浄に保つことができる。また、戻し管８に導入された水は一旦貯水槽４、４′、４″の最上部またはそれより高い位置まで引き上げられてから２次側配水管１１ａに排出するようにしているので、断水時に貯留した水の流出を防止することができる。空気の入り切り弁１０の作用は図１を用いて説明したものと同様である。
【００４８】
図３に示した貯水装置１の変形例として、地上に水平に配列した貯水槽４、４′、４″を配水管の途中に上下に複数段配列させ、また、図４に示した貯水装置１の変形例として、縦に配列した貯水槽４、４′、４″を配水管の途中に複数水平に並列させるようにすれば、無数の貯水槽群を構成することが可能である。また、戻し管６ａまたは戻し管８の最上部にさらに貯水槽を設けてもよい。
【００４９】
なお、図１〜図４に示した貯水槽４、４′、４″は球形であるが、本発明による貯水装置に設けられる貯水槽は球形には限られず、円筒形、角型等種々の形状が考えられる。また、図１〜図４に示した貯水槽の数は３個であるが、本発明による貯水装置に設けられる貯水槽の数は３個に限られず、所望の数の貯水槽を接続すればよい。
【００５０】
【発明の効果】
本発明による貯水装置は以上説明したように構成されているので、次に列記するような効果を奏する。
（１）水道の配水管内の水を自然水圧により地上に設置した貯水槽まで押し上げて貯留するので、水の貯留や取り出しにポンプ等の動力を必要としない。従って、維持管理が簡単で経済的であると同時に、停電などが原因で機能しなくなることはない。
（２）断水になっても貯水槽内の水は一滴たりとも水道本管に逆流しない。
（３）所望の数の貯水槽を縦にも横にも接続できるので、設置場所に適した形状および貯水容量の貯水装置にすることができる。
（４）貯水装置を地上に設置するようにしたので、漏水等の不具合が生じても点検が容易である。また、複数の貯水槽で構成されているので、一部の貯水槽に不具合が生じてもその部位の系統のみを止めて修理を行うことができ、貯水装置全体が機能しなくなることがない。
（５）平常時には貯水装置内で水は常時循環し滞留することがないので水道水として必要な水質を確保できる。
【図面の簡単な説明】
【図１】本発明による貯水装置の第１の実施の形態を示す図である。
【図２】図１に示した貯水装置の変形例を示す図である。
【図３】本発明による貯水装置の第２の実施の形態を示す図である。
【図４】本発明による貯水装置の第３の実施の形態を示す図である。
【図５】従来の貯水装置の一例を示した図である。
【符号の説明】
１  貯水装置
２  逆止弁
３  導入管
４、４′、４″  貯水槽
５  流水管
６  第１の戻し管
６ａ  第２の戻し管
７  取り出し管
７ａ  給水弁
９  排出管
９ａ  排出弁
８  戻し管
１０  空気の入り切り弁
１１  １次側配水管
１１ａ  ２次側配水管
１２  導入口
１３  取り出し口
１４  流水口
２１  配水本管
２２  導入管
２３  排出管
２４  給水槽
２５  自家発電設備
２６  給水管
２７  取り出し口
３０  貯水装置
【図１】
0003655948.tif 000002
【図２】
0003655948.tif 000003
【図３】
0003655948.tif 000004
【図４】
0003655948.tif 000005
【図５】
0003655948.tif 000006